(57)【要約】      （修正有）【課題】まくらと共に使用する口呼吸防止器具を提供する。【解決手段】まくら１００と共に使用するまくら付属用口呼吸防止器具は、まくら部１０ａと、掛止部１０ｂと、を有し、掛止部１０ｂは、まくら部１０ａに対して略直角に連接する。使用者が顎をまくら部に載せた際、掛止部に頤が当接するため顎の動きが制限され、睡眠時に口が開いてしまうのを防ぐことができる。【選択図】図４
0003224097.tif 000002
【実用新案登録請求の範囲】
【請求項１】
まくらと共に使用するまくら付属用口呼吸防止器具であって、
前記まくら付属用口呼吸防止器具は、まくら部と、掛止部と、を有しており、
前記掛止部は、まくら部に対して略直角に連接することを特徴とする、まくら付属用口呼吸防止器具。
【請求項２】
まくらと共に使用するまくら付属用口呼吸防止器具であって、
前記まくら付属用口呼吸防止器具は、頭頂部緊締帯と、後頭部緊締帯と、前記頭頂部緊締帯及び前記後頭部緊締帯を連結させる補助帯と、前記頭頂部緊締帯と留め具を介して連結している顎固定帯を有しており、
前記顎固定帯は、中央部に前部帯を備えてあって、顎固定帯と前部帯が頤を挟持することを特徴とする、まくら付属用口呼吸防止器具。
【請求項３】
まくらと共に使用するまくら付属用口呼吸防止器具であって、
前記まくら付属用口呼吸防止器具は、クリップと、ネジと、座金と、ナットと、を有しており、
２つの対向したクリップは、ネジを介して連接させてあって、ナットと、座金によって前記クリップを固定することを特徴とする、まくら付属用口呼吸防止器具。
【考案の詳細な説明】
【技術分野】
【０００１】
本考案は、就寝中の口呼吸を防止するための口呼吸防止器具に関する。
【背景技術】
【０００２】
就寝時における口呼吸は、口内乾燥や空気中の埃、細菌の吸引等を引き起こし、免疫力の低下やそれに伴う体調不良を引き起こす虞がある。加えて、慢性的に口呼吸を行うことで舌が喉の奥に落ち込み、いびきや睡眠時無呼吸症候群を誘発し、更なる疾病に繋がってしまいかねない。
【０００３】
本考案者は以前より就寝時の口呼吸が身体に及ぼす影響を懸念しており、文献１のように付属したマスクで下顎を保持し、就寝時に口が開かないようにするまくらや、文献２のようにうつ伏せで寝ていてもまくらの端部で使用者の下顎部を押さえることで就寝時の口呼吸を防ぐようなまくらを提案している。
【先行技術文献】
【特許文献】
【０００４】
【特許文献１】実用新案登録第３２１７２６４号
【特許文献２】実用新案登録第３２２１１８４号
【考案の概要】
【考案が解決しようとする課題】
【０００５】
しかしながら、文献１及び文献２にて提案した健康まくらを使用するのみでは、使用者が睡眠中の不快感から無意識のうちに下顎部の保持を解いてしまい、就寝時の口呼吸を完全に防ぐことが難しくなる可能性があった。
【０００６】
そこで本考案は上記事情に鑑み、使用者が睡眠中であっても顎の押さえを外すことが無いような口呼吸防止用器具を提供することを目的とする。
【課題を解決するための手段】
【０００７】
まくらと共に使用するまくら付属用口呼吸防止器具であって、前記まくら付属用口呼吸防止器具は、まくら部と、掛止部と、を有しており、前記掛止部は、まくら部に対して略直角に連接することを特徴とする。
【０００８】
まくらと共に使用するまくら付属用口呼吸防止器具であって、前記まくら付属用口呼吸防止器具は、頭頂部緊締帯と、後頭部緊締帯と、前記頭頂部緊締帯及び前記後頭部緊締帯を連結させる補助帯と、前記頭頂部緊締帯と留め具を介して連結している顎固定帯を有しており、前記顎固定帯は、中央部に前部帯を備えてあって、顎固定帯と前部帯が頤を挟持することを特徴とする。
【０００９】
まくらと共に使用するまくら付属用口呼吸防止器具であって、前記まくら付属用口呼吸防止器具は、クリップと、ネジと、座金と、ナットと、を有しており、２つの対向したクリップは、ネジを介して連接させてあって、ナットと、座金によって前記クリップを固定することを特徴とする。
【考案の効果】
【００１０】
本考案の口呼吸防止器具によれば、断面形状略Ｌ字形を有したあご載せまくらに使用者の頤をＬ字の窪みに嵌め込んで、且つ、掛止部に当接するようにして顎を載せることや、帯状の部材で使用者の頭から顎を締め付けること、また、使用者に生えた口ひげや顎ひげをクリップで挟むことによって顎の可動域を意図的に制限すれば、睡眠時の口呼吸を防ぐことができ、睡眠時の口呼吸が引き起こす体調不良や疾病を未然に防ぐことが期待される。
【図面の簡単な説明】
【００１１】
【図１】本考案のまくら付属用口呼吸防止寝具のうち、あご載せまくらの全体を示した斜視図である。
【図２】本考案のまくら付属用口呼吸防止寝具のうち、口呼吸防止帯の全体を示した斜視図である。
【図３】本考案のまくら付属用口呼吸防止寝具のうち、髭クリップの全体を示した斜視図である。
【図４】あご載せまくらへの頭部の置き方を示した概略図である。
【図５】口呼吸防止帯の使用例を示した概略図である。
【図６】髭クリップの装着を示した概略図である。
【考案を実施するための形態】
【００１２】
以下より、本考案のまくら付属用口呼吸防止寝具の実施形態例について詳説する。本考案の口呼吸防止器具は、普段使用しているまくら１００と共に使用するものである。なお、本考案の口呼吸防止器具は、まくら１００と並置して使用するあご載せまくら１０と、使用者の頭部を複数の帯で保持する口呼吸防止帯２０と、使用者の髪の毛や口髭を２つのクリップで挟み込む髭クリップ３０であり、いずれも睡眠中に使用することで顎の可動を制限することができるものである。
【００１３】
まず、あご載せまくら１０について説明する。本考案の口呼吸防止器具の一つであるあご載せまくら１０は、図１に示すように、使用者の下顎部を乗せる略直方体のまくら部１０ａと、前記まくら部１０ａの端部に連接された略直方体の部材で、使用者の頤を前方から抑える掛止部１０ｂと、で構成されている。このうち掛止部１０ｂは、まくら部１０ａと略同一の幅を有している一方で、高さと長さはそれぞれまくら部１０ａに対して約４分の１になるよう構成されている両者は略直角をなすように連接し、一体的に構成されることで、あご載せまくら１０は断面形状略Ｌ字形の外形を有している。該あご載せまくら１０は全体をカバーで覆ってあり、そのカバーの内部には図示しない緩衝材が挿入されている。また、断面形状略Ｌ字形の外形を保つために、まくら部１０ａと掛止部１０ｂとの継ぎ目に木材等で作成した鉤状の支持部材１０ｃをカバー内に挿入することもできる。
【００１４】
次に、口呼吸防止帯２０について説明する。本考案の口呼吸防止器具の一つである口呼吸防止帯２０は、図２に示すように頭頂部緊締帯２１と、後頭部緊締帯２３と、補助帯２２及び顎固定帯２４の４つの帯で構成されている。頭頂部緊締帯２１は、図５のように使用者の頭部の上半分に掛かるもので、両端には留め具２５を有している。後頭部緊締帯２３は、使用者の後頭部の後方を支持し、その両端部は前記頭頂部緊締帯２１に設けられた留め具２５の近傍に取り付けられている。この頭頂部緊締帯２１及び後頭部緊締帯２３の中間部には、両帯を連結させる補助帯２２の両端が取り付けられており、３つの帯が一体的に構成されている。
上記の３つの帯のうち、頭頂部緊締帯２１には留め具２５を介して顎固定帯２４が取り付けられている。顎固定帯２４の中間部には、使用者の下顎前方を押さえる前部帯２４ａを有しており、装着時には図５のように、顎固定帯２４と前部帯２４ａが使用者の頤を挟み込むようにして下顎全体を支持することができる構成となっている。留め具２５は、頭頂部緊締帯２１と顎固定帯２４とを連結するものである。該留め具２５は顎の締め付け具合を調節し易く、且つ、装着時の煩雑さが無いものが良く、用いる素材として例えば面ファスナーとすることが望ましい。
なお、本実施形態例において、口呼吸防止帯２０を構成している素材は幅２．５ｃｍのゴム紐であり、頭頂部緊締帯２１を３２ｃｍ、後頭部緊締帯２３を３５ｃｍ、補助帯２２を１７ｃｍ、顎固定帯２４を１５ｃｍ及び前部帯２４ａを１３ｃｍの長さに調節している。
【００１５】
次に、髭クリップ３０について説明する。本考案の口呼吸防止器具の一つである髭クリップ３０は、図３に示すように、クリップ３１、３１と、ネジ３２と、座金３３、３３と、ナット３４、３４、３４とで構成されており、これらの全体を覆うカバー３５を有している。クリップ３１は、本実施形態例のように持ち手部分に穴の開いたもの使用しており、その穴にネジ３２を貫通させて２つのクリップ３１、３１を連接する。ネジ３２は前記クリップ３１が有する穴に貫通させた後、軸の頭部側とネジ先側に１つずつ座金３３を挿入し、ナット３４で固定する。この時、２つのクリップ３１、３１の距離はネジ３２の軸の長さによって自由に変更できる。なお、座金３３はクリップ３１の持ち手よりも一回り大きいものを用いることが望ましい。
このように２つの向かい合ったクリップ３１、３１は、座金３３及びナット３４によって固定され、本考案の髭クリップ３０となる。使用時には、カバー３５で髭クリップ３０全体を覆うことで、座金３３やクリップ３１による怪我を防ぐ。
【００１６】
以下より、上述した３つのまくら付属用口呼吸防止器具のうち、口呼吸防止帯２０及び髭クリップ３０の装着方法について説明する。
口呼吸防止帯２０は、一体的に構成された頭頂部緊締帯２１、補助帯２２及び後頭部緊締帯２３が略ドーム状の骨格を成しているため、図５に示すように、頭頂部緊締帯２１が使用者の頭頂部に掛かるようにして装着すると、ヘッドギアのように頭頂部緊締帯２１、補助帯２２及び後頭部緊締帯２３が使用者の頭部を包み込む。その後、顎固定帯２４を使用者の下顎に掛け、両端の留め具２５、２５で頭頂部緊締帯２１に接合させて、顎の締め付け具合を調節する。調節後は顎固定帯２４の前部帯２４ａを、頤を挟んだ口の下方に掛けることで、口呼吸防止帯２０のずれを防止する。
髭クリップ３０は、前提として顎ひげ２０１や口ひげ２００を蓄えた人が使用するものである。使用者は２つのクリップ３１、３１で、顎ひげ２０１と口ひげ２００を挟み込んだ後、髭クリップ３０にカバー３５を被せる。
【００１７】
上記した口呼吸防止帯２０若しくは髭クリップ３０を装着した後、図４に示すように、普段使用しているまくら１００の体側にあご載せまくら１０を斜めに置き、まくら１００とあご載せまくら１０の両方に頭部を置く。この時、まくら１００の体側にあご載せまくら１０を斜めに置くことで、両まくらの間に三角形の空間が生じる。この空間に使用者の耳が収まって、且つ、あご載せまくら１０のまくら部１０ａに頬を、掛止部１０ｂに頤を当てるように頭部の位置を調節する。
【００１８】
あご載せまくら１０のように構成された口呼吸防止器具であれば、使用者が顎を載せた際、掛止部１０ｂに頤が当接するため顎の動きが制限され、睡眠時に口が開いてしまうのを防ぐことができる。また、あご載せまくら１０は、まくら部１０ａと掛止部１０ｂが略直角となるように構成されており、その窪みに頤がはまり込むと、あご載せまくら１０の内部に挿入された緩衝材が程よい反発力を生み、顎の動きが制限されつつも心地良く眠ることができる。加えて、まくら部１０ａと掛止部１０ｂが構成している略直角の形状を崩さないようにするために支持部材１０ｃを挿入すれば、掛止部１０ｂに当接している使用者の顎への反発力をより高めることができ、さらに口を開き難くすることが可能となる。
【００１９】
口呼吸防止帯２０のように構成された口呼吸防止器具であれば、頭頂部から下顎をぐるりと帯状の部材で締め付けているため、口が開いてしまうことが無く、睡眠時の口呼吸を防止することができる。また、顎固定帯２４の前部帯２４ａを使用者の顎の前部にずらすようにして装着することで頤を挟み込み、ずれ難い固定用の帯を提供できる。
本考案の口呼吸防止帯２０に使用している素材はゴム紐としているため、使用者ごとの頭部の大きさによる微調整を不必要とすることができる。加えて、ゴム紐であれば使用者の顎や頭部の締め付け具合を程良いものにすることができ、顎の可動を制限されていてもなお心地よい睡眠とすることが可能である。口呼吸防止帯２０は、複数の帯状部材を縫い合わせて構成されているため、製品の組み立てや修理に掛かる手間が殆どない。
さらに、前記あご載せまくら１０と同時に使用することで、あご載せまくら１０の掛止部１０ｂが使用者の下顎を押さえて、顎の可動をより制限することができるため、口呼吸防止帯２０のみを使用するよりも効果的に睡眠時の口呼吸を防止することが可能となり、口呼吸から来る体調不良も防ぐことが期待される。
【００２０】
髭クリップ３０のように構成された口呼吸防止器具であれば、口ひげ２００と顎ひげ２０１をクリップ３１、３１で挟み込むことで、ひげを介して顎の可動を制限することができる。クリップ３１には持ち手よりも大きい径を有する座金３３がナット３４によって固定されており、この座金３３に指を掛ければ、髭クリップ３０の組み立て後であってもネジ３２に邪魔されずにクリップ３１を動かすことができる。
本考案の髭クリップ３０を用いると口を開いてしまうとひげが引っ張られて痛みが長じるが、睡眠中にその痛みが生じることにより、無意識下であっても口を開けてしまうのを防ぐことが期待される。
また、前記あご載せまくら１０と同時に使用することで、あご載せまくら１０の掛止部１０ｂが使用者の下顎を押さえて、顎の可動をより制限することができるため、髭クリップ３０のみを使用するよりも効果的に睡眠時の口呼吸を防止することが可能となる。加えて、あご載せまくら１０自体が髭クリップ３０の支えになるため、髭クリップ３０の重さによってひげが引っ張られて生じる痛みは幾分緩和することができる。
【００２１】
本考案の口呼吸防止帯２０はゴム紐を用いて製作しているが、伸縮性の無い素材を用いて製作しても良い。また、髭クリップ３０は口ひげ２００や顎ひげ２０１を挟み込むような構成としているが、２つのクリップ３１、３１を連結させるネジ３２を紐等の長くできる素材に置き換えることで、ひげと髪の毛を挟むようにして使用することもできる。
【符号の説明】
【００２２】
１０ａ  まくら部
１０ｂ  掛止部
２１  頭頂部緊締帯
２２  補助帯
２３  後頭部緊締帯
２４  顎固定帯
２４ａ  前部帯
２５  留め具
３１  クリップ
３２  ネジ
３３  座金
３４  ナット
１００  まくら
【図１】
0003224097.tif 000003
【図２】
0003224097.tif 000004
【図３】
0003224097.tif 000005
【図４】
0003224097.tif 000006
【図５】
0003224097.tif 000007
【図６】
0003224097.tif 000008